(57)【要約】      （修正有）【課題】鏡として使用できるように、メニューキー等で選択することにより、鮮明な鏡画面をディスプレイに表示するようにした携帯電話等を、提供することにある。【解決手段】鏡として使用できるように、バフ掛けした銀メッキプレートと同じような金属の光沢を持つ色を作成するための専用の鏡画面用カラーモードソフト（4）を内蔵し、メニューキー（3）等で選択することによりディスプレイ（2）又はサブディスプレイに鮮明な鏡画面を表示するようにした、鏡画面の表示機能を備えた携帯電話等（1）。【選択図】図１
0003135711.tif 000002
【実用新案登録請求の範囲】
【請求項１】
鏡として使用できるように、バフ掛けした銀メッキプレートと同じような金属の光沢を持つ色を作成するための専用の鏡画面用カラーモードソフト（4）を内蔵し、メニューキー（3）等で選択することによりディスプレイ（2）又はサブディスプレイ（２ａ）に鮮明な鏡画面を表示するようにした、鏡画面の表示機能を備えた携帯電話等（1）。
【考案の詳細な説明】
【技術分野】
【０００１】
本考案は、鏡として使用できるように金属の光沢を持つ鮮明な鏡画面を、メニューキー等で選択することによりディスプレイに表示するための、鏡画面の表示機能を備えた携帯電話等に関するものである。
【０００２】
本考案は、携帯電話は勿論同じような画面表示機能を持つノートパソコン、デジタル携帯音楽プレーヤー等に応用出来、これらを総称して携帯電話等と称する。以下１実施例として携帯電話で説明する。
【背景技術】
【０００３】
鏡付携帯用化粧道具として、白粉（おしろい）とバフを納めたコンパクトがあり、女性に重宝されている。しかし最近では、口紅、アイラインなど化粧品も多様化しコンパクトだけでは用を足していないことも実状である。
【０００４】
ビジネスマンも化粧は別にして、ネクタイ、髪型など大事な打ち合わせなどの身だしなみのチェックのためにカードミラーを手帳などに入れている人を見かける。
又、オフィスではノートパソコンで身だしなみがチェックできると急な会議や接客など便利である。
【０００５】
最近の携帯電話の普及は目覚しく、学生から老人までほとんどが携帯している。ノートパソコンも最近のオフィスでは、一人１台が普通で必需品になっている。又動画の見られるデジタル携帯音楽プレーヤー等も普及している。このように画面表示機能を有する携帯品が多くある。
【０００６】
特開２００４−２９７３７５に「鏡付携帯電話」が出願されているが、これは鏡体（カードミラー）を携帯電話の本体（操作キー部）とディスプレイとの間に挟みこむようにして入れ、ディスプレイの側面から９０度外側へ回転させて、現出させることが出来るような構造で、完全にハードとしての構造であり厚みも厚く、重量的に重くなり、ディスプレイを見るのにいちいち９０度外側へ回転させる必要があるなどの欠点を有する。
【特許文献１】特開２００４−２９７３７５号公報
【考案の開示】
【考案が解決しようとする課題】
【０００７】
本考案は、鏡として使用できるように、メニューキー等で選択することにより、鮮明な鏡画面をディスプレイに表示するための、鏡画面の表示機能を備えた携帯電話等を、提供することにある。
【０００８】
従来の鏡は、光の反射を利用して物を写し見る道具で、この作り方は歪のないガラス板の片面に銀メッキを施しこの銀がはげないように黒エナメルなどを塗ったものが主流であるが、ガラスが割れるため割れない鏡として、アクリル樹脂にアルミを蒸着したものやバフ掛けした銀メッキプレートなども使用されている。
いずれも金属の光る性質を利用している。
このようなことから、バフ掛けした銀メッキプレートと同じような金属の光沢を持つ色を作ることが課題である。
【０００９】
従来の携帯電話やパソコンの色は、ＷＥＢページ上で表現される色を指定するための制御コードとしてカラーコードを用いている。カラーコードの範囲として０〜１６,７７７,２１５色が規定されている。
カラーモードは、表現可能な色数の異なるいくつかのモードがある。２５６色インデックスカラーモード、約６.５万色のハイカラーモード、約１,６７７万色のフルカラーモードなどがある。
色数が多いモードほど品質は良くなるが、画像データ量が多くなり高価になる。
パソコンはフルモードが使用されているものもあるが、携帯電話はせいぜい２６万色程度である。
このように限られたカラーモードで如何に安価で、金属の光沢を持つ鮮明な色を作るかが、第２の課題である。
【００１０】
鏡は、金属の光る性質を利用しており、従来から銀メッキが多く使用されているため、バフ掛けした銀メッキプレートと同じような金属の光沢を持つ色を作成し、ディスプレイに表示することにより、ディスプレイの前面の透明板が従来の鏡のガラスと同じ働きをして、鏡と同じ機能を果たすことが出来ることが解った。
【００１１】
鏡画面は、静止画面でありほぼ単色に近いが金属の光沢を持たせるための工夫が必要であり、専用の鏡画面用カラーモードソフトを作成することで解決出来、これにより安価に出来る。
【課題を解決するための手段】
【００１２】
鏡として使用できるように、バフ掛けした銀メッキプレートと同じような金属の光沢を持つ色を作成するための専用の鏡画面用カラーモードソフト（4）を内蔵し、メニューキー（3）等で選択することによりディスプレイ（2）又はサブディスプレイ（２ａ）に鮮明な鏡画面を表示するようにした、鏡画面の表示機能を備えた携帯電話等（1）により問題を解決できる。
【考案の効果】
【００１３】
女性は勿論男性も、いつでも、どこででも携帯電話等を使う振りをして、この鏡で身だしなみのチェックが出来る。
メニューキー等で選択して、鏡画面をディスプレイに表示するようにするだけで、ハード的な要素は何もなく、携帯電話等の本来の機能を損なうことなく、持ち運びや使用方法も従来通りに出来問題ない。
専用の鏡画面用カラーモードソフトを使用するため、金属の光沢のある鮮明な鏡画面を表示出来、１,６７７万色のフルカラーモードでなくても使用出来安価に出来るなどの特徴がある。
【考案を実施するための最良の形態】
【００１４】
本考案は、携帯電話、ノートパソコン及び動画の見られるデジタル携帯音楽プレーヤー等多くの機器に適用出来る。構造は同じであるため本考案の１実施例として、携帯電話で説明する。
【実施例１】
【００１５】
鏡として使用できるように、バフ掛けした銀メッキプレートと同じような金属の光沢を持つ色を作成するための専用の鏡画面用カラーモードソフト（4）を内蔵し、メニューキー（3）等で選択することによりディスプレイ（2）又はサブディスプレイ（２ａ）に鮮明な鏡画面を表示するようにした、鏡画面の表示機能を備えた携帯電話（1）で、
図１は、本考案の１実施例の携帯電話の正面図である。
図２は、本考案の１実施例の携帯電話の背面図である。
図３は、本考案の１実施例の携帯電話の背面図イ部の内部構造である。  
【図面の簡単な説明】
【００１６】
【図１】本考案の１実施例の携帯電話の正面図である。
【図２】本考案の１実施例の携帯電話の背面図である。
【図３】本考案の１実施例の携帯電話の背面図イ部の内部構造である。
【符号の説明】
【００１７】
１     携帯電話
２     ディスプレイ
２ａ   サブディスプレイ
３     メニューキー
４     鏡画面用カラーモードソフト
【図１】
0003135711.tif 000003
【図２】
0003135711.tif 000004
【図３】
0003135711.tif 000005